(57)【要約】【課題】長電話を一層効果的に防止する技術を提供する。【解決手段】通話者の通話時間を計測する第一タイマーなどと、通話者に対して警告を発することが可能な第一ＬＥＤ（緑）やブザーなどと、を備える。通話時間に応じて異なる態様の警告を通話者に対して発するようになっている。ここで、上記実施形態における「異なる態様の警告」には、各ＬＥＤによる表示の色調、各ＬＥＤによる表示の点滅間隔、ＬＥＤによる警告かブザーによる警告かの別、などが相当する。上記の構成によれば、通話者に通話時間の経過をより一層実感させて自制を促すことができ、もって、長電話を効果的に防止できる。【選択図】図５
2009182554.tif 000002
【特許請求の範囲】
【請求項１】
通話者の通話時間を計測する通話時間計測手段と、
前記通話者に対して警告を発することが可能な警告手段と、
前記通話時間に応じて異なる態様の警告を前記通話者に対して発するように前記警告手段を制御する警告制御手段と、
を備える、長電話警告装置
【請求項２】
請求項１に記載の長電話警告装置において、
前記警告手段は、前記通話者の視覚に対して警告を発する表示器を備え、
前記警告制御手段は、前記通話時間に応じて、前記表示器による表示の色調や輝度、点灯時間、点滅間隔のうち少なくとも何れか一を異ならせた態様で前記通話者に対して警告を発するように前記警告手段を制御する、
長電話警告装置
【請求項３】
請求項１に記載の長電話警告装置において、
前記警告手段は、前記通話者の聴覚に対して警告を発する発音器を備え、
前記警告制御手段は、前記通話時間に応じて、前記発音器による音の高さや音量、発音時間、発音間隔のうち少なくとも何れか一を異ならせた態様で前記通話者に対して警告を発するように前記警告手段を制御する、
長電話警告装置
【請求項４】
請求項１に記載の長電話警告装置において、
前記警告手段は、前記通話者の視覚に対して警告を発する表示器と、前記通話者の聴覚に対して警告を発する発音器と、を備え、
前記警告制御手段は、前記通話時間に応じて、前記表示器と前記発音器のうち何れか一方を選択し、又は両方を組み合わせて、前記通話者に対して警告を発するように前記警告手段を制御する、
長電話警告装置
【請求項５】
請求項４に記載の長電話警告装置において、
前記警告制御手段は、前記通話時間の初期の段階では前記表示器でもって前記通話者に対して警告を発し、その後、前記発音器でもって前記通話者に対して警告を発するように前記警告手段を制御する、
長電話警告装置
【発明の詳細な説明】
【技術分野】
【０００１】
本発明は、長電話警告装置に関する。
【背景技術】
【０００２】
この種の技術として特許文献１は、通話中の時間をカウントするタイマを備え、このタイマのカウント値が所定値を超えたとき、警告ランプを点灯させる警告ランプ機能付電話器を開示する。
【０００３】
【特許文献１】実開平０２−５９６４号公報
【発明の開示】
【発明が解決しようとする課題】
【０００４】
上記特許文献１の構成は、通話時間を所定値と比較して所定の警告を発することで長電話を防止するのに一定の効果を奏するだろう。しかし、本願発明者は、この長電話を防止する技術には改善の余地があるのではないかと考えた。
【０００５】
本発明は斯かる諸点に鑑みてなされたものであり、その主な目的は、長電話を一層効果的に防止する技術を提供することにある。
【課題を解決するための手段及び効果】
【０００６】
本発明の解決しようとする課題は以上の如くであり、本願発明者は、鋭意研究の末、長電話を防止するには、通話者に対して通話時間の経過をより一層実感させることが効果的であることを見出し、以下の発明を完成させた。
【０００７】
即ち、本願発明の観点によれば、以下のように構成される長電話警告装置が提供される。即ち、通話者の通話時間を計測する通話時間計測手段と、前記通話者に対して警告を発することが可能な警告手段と、前記通話時間に応じて異なる態様の警告を前記通話者に対して発するように前記警告手段を制御する警告制御手段と、を備える。以上の構成によれば、前記通話者に前記通話時間の経過をより一層実感させて自制を促すことができ、もって、長電話を効果的に防止できる。
【０００８】
また、前記警告手段は、前記通話者の視覚に対して警告を発する表示器を備え、前記警告制御手段は、前記通話時間に応じて、前記表示器による表示の色調や輝度、点灯時間、点滅間隔のうち少なくとも何れか一を異ならせた態様で前記通話者に対して警告を発するように前記警告手段を制御するように構成すれば、前記通話者と被呼通話者との会話を邪魔することなく、前記通話者に対して前記通話時間の経過を実感させることができる。
【０００９】
また、前記警告手段は、前記通話者の聴覚に対して警告を発する発音器を備え、前記警告制御手段は、前記通話時間に応じて、前記発音器による音の高さや音量、発音時間、発音間隔のうち少なくとも何れか一を異ならせた態様で前記通話者に対して警告を発するように前記警告手段を制御するように構成するとよい。即ち、前記通話者は通話中は聴覚に集中しているので、以上の構成によれば、前記通話者に対して前記通話時間の経過を確実に実感させることができる。
【００１０】
また、前記警告手段は、前記通話者の視覚に対して警告を発する表示器と、前記通話者の聴覚に対して警告を発する発音器と、を備え、前記警告制御手段は、前記通話時間に応じて、前記表示器と前記発音器のうち何れか一方を選択し、又は両方を組み合わせて、前記通話者に対して警告を発するように前記警告手段を制御するように構成すれば、前記通話者の異なる感覚に対して前記通話時間の経過を訴えることができるので、前記通話者に対して前記通話時間の経過を大きなインパクトで実感させることができる。
【００１１】
また、前記警告制御手段は、前記通話時間の初期の段階では前記表示器でもって前記通話者に対して警告を発し、その後、前記発音器でもって前記通話者に対して警告を発するように前記警告手段を制御するように構成すれば、前記通話時間の初期の段階では、前記通話者と被呼通話者との間のやり取りを尊重しつつ前記通話者に対して自制を促し、前記通話者が更に通話を継続する場合に限って強い自制を促すといったメリハリの効いた警告態様が実現される。
【発明を実施するための最良の形態】
【００１２】
以下、図面を参照しつつ、本発明の実施の形態を説明する。先ず、図１に基づいて、本実施形態に係る長電話警告装置１の構成を説明する。図１は、本発明の一実施形態に係る長電話警告装置のブロック図である。
【００１３】
本実施形態に係る長電話警告装置１は、電話器本体２を使用している通話者が長時間、電話し続けるのを防止する装置であって、電話器本体２に対して外付けして使用されるものである。
【００１４】
長電話警告装置１は、長電話警告装置１の動作を制御する制御部３と、通話者に対して警告を発することが可能な警告手段４と、を備える。制御部３は、マイクロコンピュータであり、演算処理装置であるＣＰＵ（Central Processing Unit）と、ＣＰＵが実行する制御プログラム及び制御プログラムに使用されるデータが記憶されているＲＯＭ（Read Only Memory）と、プログラム実行時にデータを一時記憶するためのＲＡＭ（Random Access Memory）と、を有する。制御部３のＣＰＵやＲＯＭ、ＲＡＭは、通話時間計測部５やフック動作信号処理部６、警告制御部７、第一フリッカタイマー８、第二フリッカタイマー９、第三フリッカタイマー１０、などとして機能する。
【００１５】
一方、電話器本体２は、電話器本体２の動作を制御する本体制御部１９を有する。本体制御部１９は、演算処理装置であるＣＰＵと、ＣＰＵが実行する制御プログラム及び制御プログラムに使用されるデータが記憶されているＲＯＭと、プログラム実行時にデータを一時記憶するためのＲＡＭと、を有する。本体制御部１９のＣＰＵやＲＯＭ、ＲＡＭは、フック動作検出部２０などとして機能する。
【００１６】
長電話警告装置１の制御部３と、電話器本体２の本体制御部１９と、は略示の通信線２１によって接続され、各種の信号を送受信可能に構成される。
【００１７】
上記の警告手段４は、通話者の視覚に対して警告を発する表示器としての第一ＬＥＤ（緑）１５・第二ＬＥＤ（橙）１６・第三ＬＥＤ（赤）１７と、通話者の聴覚に対して警告を発する発音器としてのブザー１８と、から構成される。
【００１８】
通話時間計測部５は、第一タイマー１１・第二タイマー１２・第三タイマー１３・第四タイマー１４から構成され、これらのタイマー１１〜１４とフック動作信号処理部６とが相互に協動して通話者の通話時間を計測する（図５も併せて参照）。本実施形態において「通話時間」の始期はフックオフされた時点とし、「通話時間」の終期はフックオンされた時点として観念する。
【００１９】
フック動作信号処理部６は、フック動作検出部２０から送信されたフックの動作に係る信号（以下、フック動作信号）を受信して適宜に処理する。
【００２０】
警告制御部７は、通話時間に応じて異なる態様の警告を通話者に対して発するように警告手段４を制御する。
【００２１】
フリッカタイマー部８〜１０は、警告制御部７が警告手段４を制御する際に供され、第一ＬＥＤ（緑）１５などの点滅動作を実現する。
【００２２】
フック動作検出部２０は、受話器の状態を検出する図略のセンサーに接続され、検出された受話器の状態を上記のフック動作信号として制御部３へ送信する。ここで、「受話器の状態」とは、フックオン状態とフックオフ状態を意味する。
【００２３】
制御部３のＲＯＭには下記の種々のデータが記憶される。下記の種々のデータは、図５の内容と一致するので、適宜に図５を参照されたい。なお、図５は、本発明の一実施形態に係る長電話警告装置の動作に係るタイムチャートである。
・第一タイマー１１の計測時間である第一計測時間Δｔ１
・第二タイマー１２の計測時間である第二計測時間Δｔ３
・第三タイマー１３の計測時間である第三計測時間Δｔ５
・第四タイマー１４の計測時間である第四計測時間Δｔ７
・第一フリッカタイマー８のＯＮ／ＯＦＦ時間間隔である第一ＯＮ／ＯＦＦ時間間隔Δｔ２
・第二フリッカタイマー９のＯＮ／ＯＦＦ時間間隔である第二ＯＮ／ＯＦＦ時間間隔Δｔ４
・第三フリッカタイマー１０のＯＮ／ＯＦＦ時間間隔である第三ＯＮ／ＯＦＦ時間間隔Δｔ６
【００２４】
以下、後述する処理の開始前に予めＲＯＭに記憶されている種々のデータは、下記式（１）の関係を満足するものとして説明を続ける。
【００２５】
【数１】
2009182554.tif 000003
【００２６】
次に、図２〜４及び図５に基づいて、本実施形態に係る長電話警告装置１の作動を説明する。図２〜図４は、本発明の一実施形態に係る長電話警告装置の動作に係るフローチャートである。図５は、本発明の一実施形態に係る長電話警告装置の動作に係るタイムチャートである。なお、主として図２〜４に基づいて説明するが、図５も適宜に参照されたい。
【００２７】
先ず、制御部３は、図２〜４に記載の所定の処理を実行するためのプログラムをＲＯＭから読み込んで実行し（Ｓ１００）、フックオフに係るフック動作信号をフック動作信号処理部６が受信するまで待機する（Ｓ１１０）。
【００２８】
≪第一段階≫
このフック動作信号をフック動作信号処理部６が受信すると、制御部３は、ＲＯＭから第一計測時間Δｔ１を読み込んで取得し（Ｓ１２０）、この取得した第一計測時間Δｔ１を第一タイマー１１に計測時間として設定し、これを受けて第一タイマー１１はカウントを開始する（Ｓ１３０）。そして、制御部３は、第一タイマー１１による第一計測時間Δｔ１の計測が終了するまで待機すると共に（Ｓ１６０）、もし、その間にフックオンに係るフック動作信号をフック動作信号処理部６が受信したら（Ｓ１４０）、処理を終了する（Ｓ１５０）。
【００２９】
≪第二段階≫
第一タイマー１１による第一計測時間Δｔ１の計測が終了したら（Ｓ１６０）、制御部３は、第一タイマー１１をリセットする（停止させ、カウンタ値をゼロクリアする、以下同様。）と共に（Ｓ１７０）、ＲＯＭから第一ＯＮ／ＯＦＦ時間間隔Δｔ２を読み込んで取得する（Ｓ１８０）。制御部３は、この取得した第一ＯＮ／ＯＦＦ時間間隔Δｔ２を第一フリッカタイマー８にＯＮ／ＯＦＦ時間間隔として設定し、第一フリッカタイマー８の動作を開始させ、警告制御部７は、この第一フリッカタイマー８と連動するように第一ＬＥＤ（緑）１５を点滅させる（Ｓ１９０）。
【００３０】
これと同時に、制御部３は、ＲＯＭから第二計測時間Δｔ３を読み込んで取得し（Ｓ２００）、この取得した第二計測時間Δｔ３を第二タイマー１２に計測時間として設定し、これを受けて第二タイマー１２はカウントを開始する（Ｓ２１０）。そして、制御部３は、第二タイマー１２による第二計測時間Δｔ３の計測が終了するまで待機すると共に（Ｓ２４０）、もし、その間にフックオンに係るフック動作信号をフック動作信号処理部６が受信したら（Ｓ２２０）、処理を終了する（Ｓ２３０）。
【００３１】
≪第三段階≫
第二タイマー１２による第二計測時間Δｔ３の計測が終了したら（Ｓ２４０）、制御部３は、第二タイマー１２をリセットすると共に（Ｓ２５０）、第一フリッカタイマー８をリセットし（停止させる、以下同様。）（Ｓ２６０）、警告制御部７は第一ＬＥＤ（緑）１５の点滅を終了する。次いで、制御部３は、ＲＯＭから第二ＯＮ／ＯＦＦ時間間隔Δｔ４を読み込んで取得する（Ｓ２７０）。制御部３は、この取得した第二ＯＮ／ＯＦＦ時間間隔Δｔ４を第二フリッカタイマー９にＯＮ／ＯＦＦ時間間隔として設定し、第二フリッカタイマー９の動作を開始させ、警告制御部７は、この第二フリッカタイマー９と連動するように第二ＬＥＤ（橙）１６を点滅させる（Ｓ２８０）。
【００３２】
これと同時に、制御部３は、ＲＯＭから第三計測時間Δｔ５を読み込んで取得し（Ｓ２９０）、この取得した第三計測時間Δｔ５を第三タイマー１３に計測時間として設定し、これを受けて第三タイマー１３はカウントを開始する（Ｓ３００）。そして、制御部３は、第三タイマー１３による第三計測時間Δｔ５の計測が終了するまで待機すると共に（Ｓ３３０）、もし、その間にフックオンに係るフック動作信号をフック動作信号処理部６が受信したら（Ｓ３１０）、処理を終了する（Ｓ３２０）。
【００３３】
≪第四段階≫
第三タイマー１３による第三計測時間Δｔ５の計測が終了したら（Ｓ３３０）、制御部３は、第三タイマー１３をリセットすると共に（Ｓ３４０）、第二フリッカタイマー９をリセットし（Ｓ３５０）、警告制御部７は第二ＬＥＤ（橙）１６の点滅を終了する。次いで、制御部３は、ＲＯＭから第三ＯＮ／ＯＦＦ時間間隔Δｔ６を読み込んで取得する（Ｓ３６０）。制御部３は、この取得した第三ＯＮ／ＯＦＦ時間間隔Δｔ６を第三フリッカタイマー１０にＯＮ／ＯＦＦ時間間隔として設定し、第三フリッカタイマー１０の動作を開始させ、警告制御部７は、この第三フリッカタイマー１０と連動するように第三ＬＥＤ（赤）１７を点滅させる（Ｓ３７０）。
【００３４】
これと同時に、制御部３は、ＲＯＭから第四計測時間Δｔ７を読み込んで取得し（Ｓ３８０）、この取得した第四計測時間Δｔ７を第四タイマー１４に計測時間として設定し、これを受けて第四タイマー１４はカウントを開始する（Ｓ３９０）。そして、制御部３は、第四タイマー１４による第四計測時間Δｔ７の計測が終了するまで待機すると共に（Ｓ４２０）、もし、その間にフックオンに係るフック動作信号をフック動作信号処理部６が受信したら（Ｓ４００）、処理を終了する（Ｓ４１０）。
【００３５】
≪第五段階≫
第四タイマー１４による第四計測時間Δｔ７の計測が終了したら（Ｓ４２０）、制御部３が第四タイマー１４をリセットし（Ｓ４３０）、警告制御部７がブザー１８を作動させる（Ｓ４４０）。そして、制御部３は、フックオンに係るフック動作信号をフック動作信号処理部６が受信するまで待機し（Ｓ４５０）、この信号を受信したら処理を終了する（Ｓ４６０）。
【００３６】
（まとめ：請求項１）
以上説明したように上記実施形態において長電話警告装置１は、以下のように構成される。即ち、長電話警告装置１は、通話者の通話時間を計測する通話時間計測部５と、通話者に対して警告を発することが可能な警告手段４と、を備え、通話時間に応じて異なる態様の警告を通話者に対して発するようになっている。ここで、上記実施形態における「異なる態様の警告」には、ＬＥＤ１５〜１７による表示の色調、ＬＥＤ１５〜１７による表示の点滅間隔、ＬＥＤ１５〜１７による警告かブザー１８による警告かの別、などが相当する。上記の構成によれば、通話者に通話時間の経過をより一層実感させて自制を促すことができ、もって、長電話を効果的に防止できる。
【００３７】
上記実施形態では、通話者の視覚や聴覚に対して警告を発する例を説明したが、これに代えて、または、これに加えて、通話者の触覚に対して警告を発するようにしてもよい。例えば、通話者の机や椅子に対して振動を加える構成などが考えられ、斯かる場合は、振動の振幅や振動数の切り替えのみにより、上記の「異なる態様の警告」を実現することもできよう。
【００３８】
また、本明細書において「通話時間」の始期はフックオフされた時点とし、「通話時間」の終期はフックオンされた時点として観念した。しかし、これに限定されることなく、より厳密な意味で、「通話時間」の始期を被呼通話者が応答した時点とし、「通話時間」の終期を通話者と被呼通話者との間の通信が切断された時点として観念してもよい。後者の場合は、長電話警告装置１と電話器本体２との接続態様に若干の変更が必要となるだろう。
【００３９】
（請求項２）
また、上記実施形態では、警告手段４として、通話者の視覚に対して警告を発するＬＥＤ１５〜１７を採用している。この構成によれば、通話者と被呼通話者との会話を邪魔することなく、通話者に対して通話時間の経過を実感させることができよう。
【００４０】
上記実施形態では、ＬＥＤ１５〜１７による表示の色調や表示の点滅をもって、上記の「異なる態様の警告」を実現したが、これに代えて、または、これに加えて、ＬＥＤ１５〜１７による表示の輝度や点灯時間などでもって、上記の「異なる態様の警告」を実現してもよい。更には、ＬＥＤに代えてＬＣＤを採用することも考えられる。
【００４１】
（請求項３）
また、上記実施形態では、警告手段４として、通話者の聴覚に対して警告を発するブザー１８を採用している。即ち、通話者は通話中は聴覚に集中しているので、以上の構成によれば、通話者に対して通話時間の経過を確実に実感させることができよう。
【００４２】
上記実施形態では、ブザー１８による警告を一様なものとしているが（図５）、ブザー１８による音の高さや音量、発音時間、発音間隔などでもって、上記の「異なる態様の警告」を実現してもよい。
【００４３】
なお、「発音時間（点灯時間）」はある時刻にブザー１８（第一ＬＥＤ（緑）１５など）が作動し、この作動が終わるまでの時間を意味する。「発音間隔（点滅間隔）」はある時刻にブザー１８（第一ＬＥＤ（緑）１５など）が作動し、この作動が終わり、その後再び作動する場合における、前者の作動の開始時点と、後者の作動の開始時点と、の間隔を意味する。
【００４４】
（請求項４）
また、上記実施形態では、警告手段４として、ＬＥＤ１５〜１７とブザー１８を同時に採用している。そして、ＬＥＤ１５〜１７を選択して単独で点滅させたり、第三ＬＥＤ（赤）１７とブザー１８を組み合わせたりして、上記の「異なる態様の警告」を実現している。このような構成によれば、通話者の異なる感覚に対して通話時間の経過を訴えることができるので、通話者に対して通話時間の経過を大きなインパクトで実感させることができよう。
【００４５】
なお、ＬＥＤ１５〜１７を単独で点滅させることに代えて、ブザー１８を単独で作動させる態様も考えられる。
【００４６】
（請求項５）
また、上記実施形態では、通話時間の初期の段階（第一〜第四段階）ではＬＥＤ１５〜１７でもって通話者に対して警告を発し、その後（第五段階）、ブザー１８でもって通話者に対して警告を発するようにしている。このような警告の態様を採用することで、通話時間の初期の段階では、通話者と被呼通話者との間のやり取りを尊重しつつ通話者に対して自制を促し、通話者が更に通話を継続する場合に限って強い自制を促すといったメリハリの効いた警告態様が実現される。
【００４７】
（変形例）
以上に本発明の好適な実施形態を説明したが、上記の実施形態は以下のように変更して実施することができる。
【００４８】
（Ａ）即ち、例えば、上記実施形態では、長電話警告装置１を電話器本体２に対して外付けすることを前提に説明したが、これに代えて、長電話警告装置１を電話器本体２に内蔵してもよい。即ち、長電話警告装置１と電話器本体２は、一体型であってもよい。
【００４９】
（Ｂ）また、上記実施形態では、例えば第一計測時間Δｔ１などの種々のデータはＲＯＭに記憶されているが、これに代えて、ＲＡＭに記憶されるものとしてもよい。更には、ＲＡＭに記憶されている第一計測時間Δｔ１などの種々のデータは、自由に変更できるようにしてもよい。即ち、第一ＬＥＤ（緑）１５などの点滅態様や、第一タイマー１１の計測時間などは自由に変更できるようにしてもよい。
【図面の簡単な説明】
【００５０】
【図１】本発明の一実施形態に係る長電話警告装置のブロック図
【図２】本発明の一実施形態に係る長電話警告装置の動作に係るフローチャート（１）
【図３】本発明の一実施形態に係る長電話警告装置の動作に係るフローチャート（２）
【図４】本発明の一実施形態に係る長電話警告装置の動作に係るフローチャート（３）
【図５】本発明の一実施形態に係る長電話警告装置の動作に係るタイムチャート
【符号の説明】
【００５１】
１  長電話警告装置
８  第一フリッカタイマー
１１  第一タイマー
１５  第一ＬＥＤ（緑）
【図１】
2009182554.tif 000004
【図２】
2009182554.tif 000005
【図３】
2009182554.tif 000006
【図４】
2009182554.tif 000007
【図５】
2009182554.tif 000008